(57)【要約】【課題】本発明の目的は、簡単な構成で長期に亘り高い信頼性を有する古紙収納手段を備えた古紙の自動回収装置を得ることにある。【解決手段】古紙回収装置１は、リフター本体２１と、ガイドレール２２と、吊り部材２３と、駆動装置２４とを備える。リフター本体２１は、箱状に形成されるとともに、古紙束３を内部に積載してハウジング４内を昇降可能であり、且つ、古紙収納部側の下端部４５にガイド５１が設けられている。ガイドレール２２は、ガイド５１を鉛直方向に沿って案内するとともに、上記ガイド５１の上向き方向の移動を制止するストッパ部５９を有する。吊り部材２３は、リフター本体２１の古紙収納部側とは反対側の下端部６１に連結されるとともに、駆動装置２４により引き上げられる。【選択図】図２
2008260625.tif 000002
【特許請求の範囲】
【請求項１】
古紙束が投入される投入口が開口したハウジングと、
上記ハウジング内に設けられ上記投入口から投入された古紙束の重量を計量する秤と、
上記秤による計量終了後に上記古紙束を持ち上げて古紙収納部へ収納する古紙収納手段と、を具備する古紙の自動回収装置であって、
上記古紙収納手段は、
箱状に形成されるとともに、上記古紙束が投入される入荷口と上記古紙束が送出される出荷口とが開口し、上記古紙束を内部に積載して上記ハウジング内を昇降可能であり、且つ、古紙収納部側の下端部にガイドが設けられたリフター本体と、
鉛直方向に延びるとともに、上記リフター本体のガイドを鉛直方向に沿って案内するガイドレールであって、このガイドレールの上端部に設けられるとともに上記ガイドの上向き方向の移動を制止するストッパ部を有するガイドレールと、
上記リフター本体の古紙収納部側とは反対側の下端部に連結され、上記リフター本体の端部を上記ハウジング内に懸吊する吊り部材と、
上記リフター本体に連結された上記吊り部材を上方に引き上げる駆動装置と、を備え、
上記リフター本体は、上記吊り部材が弛んで上記秤の上に載置される第１の状態と、上記駆動装置の駆動に伴い上記吊り部材と共に上方に持ち上げられ、上記ガイドが上記ガイドレールのストッパ部まで達してその上向き方向の移動が制止され、このガイドを支点として上記出荷口が斜め下方を向くように傾斜し、上記古紙束を上記古紙収納部へ向いて投出する第２の状態との間で変位することを特徴とする古紙の自動回収装置。
【請求項２】
請求項１の記載において、上記リフター本体が上記第２の状態にあるとき、上記リフター本体の重心は、上記ガイドよりも古紙収納部側とは反対側に位置し、上記吊り部材を弛めるように上記駆動装置が駆動されると上記リフター本体は自重によって上記第１の状態に復帰することを特徴とする古紙の自動回収装置。
【発明の詳細な説明】
【技術分野】
【０００１】
本発明は、例えば新聞紙や雑誌などの古紙を回収する古紙の自動回収装置に関する。
【背景技術】
【０００２】
本発明者は以前に、新聞紙や雑誌などの古紙を自動的に回収する装置を発明し、その装置は特許文献１に開示されている。特許文献１に記載の古紙の自動回収装置は、古紙束の重量計量後に、古紙束を持ち上げて古紙収納部へ収納させる古紙収納手段を備える。この古紙収納手段は、所定の幅を持った長尺のシート部材を有する。
【０００３】
詳しくは、シート部材の第１の端部は、秤の上方に設けた古紙収納部への案内路の上端部に固定されている。シート部材の第２の端部は、上記案内路とは反対側で、この案内路の上端部よりも高い位置に設けた回転部材に掛け渡して折り返され、巻き取りローラで巻き取り可能になっている。古紙束の投入前は、シート部材を弛ませてその一部が秤の計量面に載置されるようになっている。
【特許文献１】特開２００６−２４０８１１号公報
【発明の開示】
【発明が解決しようとする課題】
【０００４】
特許文献１に記載のようなシート部材を用いた古紙収納手段は、確かに古紙束を案内路へとスムーズに送り出すことができるが、弛ませて秤の計量面に載置されたシート部材の上に古紙束を投入する時に、弛んでめくれたシート部材の縁に古紙束が引っ掛かることがある。
【０００５】
めくれたシート部材の縁に古紙束が引っ掛かることがあると、ユーザーにとって使いづらいばかりでなく、シート部材が傷付きやすい。このシート部材は古紙束を持ち上げる時に大きな張力が作用するので、傷付いたシート部材をそのまま繰り返し使用することは好ましくない。すなわちシート部材を用いた古紙収納手段は、長期に亘り高い信頼性を有するとは言えず、例えば適宜に点検して交換する必要があり、保守管理の観点から改良の余地がある。
【０００６】
本発明の目的は、簡単な構成で長期に亘り高い信頼性を有する古紙収納手段を備えた古紙の自動回収装置を得ることにある。
【課題を解決するための手段】
【０００７】
上記目的を達成するため、本発明の一つの態様に係る古紙の自動回収装置は、古紙束が投入される投入口が開口したハウジングと、上記ハウジング内に設けられ上記投入口から投入された古紙束の重量を計量する秤と、上記秤による計量終了後に上記古紙束を持ち上げて古紙収納部へ収納する古紙収納手段とを具備する。
【０００８】
上記古紙収納手段は、リフター本体と、ガイドレールと、吊り部材と、駆動装置とを備える。上記リフター本体は、箱状に形成されるとともに、上記古紙束が投入される入荷口と上記古紙束が送出される出荷口とが開口し、上記古紙束を内部に積載して上記ハウジング内を昇降可能であり、且つ、古紙収納部側の下端部にガイドが設けられている。上記ガイドレールは、鉛直方向に延びるとともに、上記リフター本体のガイドを鉛直方向に沿って案内するガイドレールであって、このガイドレールの上端部に設けられるとともに上記ガイドの上向き方向の移動を制止するストッパ部を有する。
【０００９】
上記吊り部材は、上記リフター本体の古紙収納部側とは反対側の下端部に連結され、上記リフター本体の端部を上記ハウジング内に懸吊する。上記駆動装置は、上記リフター本体に連結された上記吊り部材を上方に引き上げる。
【００１０】
上記リフター本体は、上記吊り部材が弛んで上記秤の上に載置される第１の状態と、上記駆動装置の駆動に伴い上記吊り部材と共に上方に持ち上げられ、上記ガイドが上記ガイドレールのストッパ部まで達してその上向き方向の移動が制止され、このガイドを支点として上記出荷口が斜め下方を向くように傾斜し、上記古紙束を上記古紙収納部へ向いて投出する第２の状態との間で変位する。
【発明の効果】
【００１１】
この構成によれば、簡単な構成で長期に亘り高い信頼性を有する古紙収納手段を備えた古紙の自動回収装置を得ることができる。
【発明を実施するための最良の形態】
【００１２】
以下に、本発明の一つの実施形態に係る古紙の自動回収装置１（以下、古紙回収装置１）について、図１ないし図８を参照して説明する。図１は、古紙回収装置１の全体を示す。古紙回収装置１は、例えば古紙収納部の一例であるかご台車２と組み合わせて使用される。かご台車２は、例えば古紙回収装置１の右側方に配置されるとともに、少なくとも上方部分が開口しており、上方から古紙束３を投入可能になっている。かご台車２は、投入された古紙束３を積載して蓄える。
【００１３】
なお古紙収納部は、古紙回収装置１の左方又は後方に配置されるものであってもよい。また、本発明でいう古紙収納部はかご台車２に限らず、例えば古紙回収装置１のハウジング４内に設けられた収納スペースであってもよい。すなわち古紙収納部は、古紙回収装置１とは別体に設けられてもよく、或いは古紙回収装置１の一部として設けられてもよい。また古紙収納部の大きさ、形状、および構造は特に限定されない。
【００１４】
図１および図２に示すように、古紙回収装置１のハウジング４は、前壁４ａ、左側壁４ｂ、右側壁４ｃ、背壁４ｄ、上壁４ｅ、および底壁４ｆを有する箱状に形成されている。図１に示すように、前壁４ａには古紙束３が投入される投入口６が開口している。この投入口６には、開閉扉７が取り付けられ、開閉自在になっている。また前壁４ａには、操作ボード８が設けられている。この操作ボード８には、タッチパネルを兼用した液晶ディスプレイ９、例えば予め登録した者に発行された回収カードが挿入されるカード挿入口１０、古紙買い取り代金が支払われる支払い口１１などが設けられている。
【００１５】
図２に示すように、古紙回収装置１は、ハウジング４内に設けられ、投入口６から投入された古紙束３の重量を計量する秤１４と、この秤１４の計量終了後に古紙束３を持ち上げて古紙収納部であるかご台車２へ収容する古紙収納手段１５とを具備する。秤１４は、例えばロードセルを使用した電子式のもので、被計量物が載置される計量面１４ａを上面に有する。秤１４は、計量面１４ａが投入口６の下縁よりも低い位置になるように配置されている。
【００１６】
古紙収納手段１５は、リフター本体２１、ガイドレール２２、吊り部材２３、および駆動装置２４を備える。図２に示すように、リフター本体２１は、秤１４の上方に設けられている。図２および図６に示すように、リフター本体２１は、それぞれ例えば板部材で形成された前壁部３１、左壁部３２、背壁部３３、上壁部３４、および底壁部３５を有する箱状に形成されている。リフター本体２１は、例えばステンレス鋼のような金属材料で造られ、比較的大きな剛性を有する。なお、リフター本体２１の各壁部３１，３２，３３，３４，３５は、必ずしも板部材で形成される必要はなく、古紙束３がリフター本体２１の外部へこぼれないような構造であれば適宜変形して用いることができる。
【００１７】
前壁部３１には、古紙束３が投入される入荷口３７が開口している。リフター本体２１が秤１４の上に載置された時、入荷口３７は、ハウジング４に設けられた投入口６に向かい合う。古紙回収装置１の利用者（以下、単に利用者）は、投入口６および入荷口３７を通じてリフター本体２１の内部に古紙束３を投入することができる。
【００１８】
図３および図６に示すように、リフター本体２１のなかでリフター本体２１の右側部３８は、略全面が開口し、古紙束３が送出される出荷口３９を形成している。なお、リフター本体２１が秤１４の上に載置された時、出荷口３９は、ハウジング４の右側壁４ｃに向かい合い、リフター本体２１内に投入された古紙束３が出荷口３９から抜け落ちないようになっている。  
図２および図４に示すように、リフター本体２１は、ハウジング４内で固定されておらず、古紙束３を内部に積載した状態でハウジング４内を昇降可能である。
【００１９】
図８は、リフター本体２１を上方から見た図であり、説明のため上壁部３４にハッチングを施してある。図８に示すように、上壁部３４は、該上壁部３４の右縁部が右側壁４ｃから離れるように上壁部３４の一部を切り欠く切欠き部４１を有する。これにより前壁部３１の右縁部３１ａと背壁部３３の右縁部３３ａとがリフター本体２１の右端となる。
【００２０】
図２に示すように、リフター本体２１の底壁部３５には、上げ底部材４２が取り付けられている。上げ底部材４２は、底壁部３５の略全体に亘って設けられるとともに、古紙束３を積載する積載面４２ａを形成している。この積載面４２ａは、例えば左側壁部３２に隣接する部位から出荷口３９の方に進むに従い高さが低くなる傾斜を有する。積載面４２ａの一例は、出荷口３９に向いて３０ｃｍ進むに従い、約１ｃｍ高さが低くなる傾斜を有する。
【００２１】
図２ないし図５に示すように、リフター本体２１は、古紙回収部側の下端部４５（以下、第１の下端部４５）に例えば二対のガイド５１，５２を備える。ガイド５１，５２の一例は、ガイドレール２２内で転動するローラである。一対の第１のガイド５１および一対の第２のガイド５２は、それぞれ出荷口３９が開口する右側部３８を間に挟むように前壁部３１と背壁部３３とに別れて配置されている。第１のガイド５１と第２のガイド５２とは、上下方向に互いに離間して配置されており、例えば第１のガイド５１が第２のガイド５２よりも上方に配置されている。
【００２２】
図６に示すように、出荷口３９とは反対側の側壁部である左壁部３２には、錘５４が取り付けられている。錘５４を除くリフター本体２１の重量が１２〜１３ｋｇの場合に、例えば３〜４ｋｇの錘５４が取り付けられる。図２に示すように、ハウジング４の右側壁４ｃの上端部には、ハウジング４の外部に開口する開口部５６が設けられている。また、この開口部５６の縁に隣接して軒部材５７が設けられている。
【００２３】
図２および図３に示すように、一対のガイドレール２２は、鉛直方向に延びるとともに、リフター本体２１のガイド５１，５２を鉛直方向に沿って案内する。一対のガイドレール２２は、リフター本体２１の前後に離間して配置されている。図５に示すように、一対のガイドレール２２は、それぞれリフター本体２１に向かい合う側に溝２２ａが形成されており、ガイド５１，５２はこの溝２２ａに沿って案内される。
【００２４】
ガイドレール２２の上端部には、ガイド５１，５２の上向き方向の移動を制止するストッパ部５９が設けられている。詳しくは、ガイドレール２２の先端部は、古紙回収部側を向いて円弧状に折れ曲がり、ガイド５１，５２が所定高さ以上に上方に移動できないようになっている。
【００２５】
図２および図６に示すように、一対の吊り部材２３のそれぞれ第１の端部２３ａは、リフター本体２１の古紙収納部側とは反対側の下端部６１（以下、第２の下端部６１）に連結されている。吊り部材２３は、リフター本体２１の第２の下端部６１をハウジング４内に懸吊する。吊り部材２３の一例は、チェーンである。ただし、吊り部材２３の種類はチェーンに限るものではなく、例えばワイヤー、またはロープのような部材でもあってもよい。
【００２６】
図７に示すように、第２の下端部６１において底壁部３５の下面には固定部材６３が固定され、吊り部材２３が連結される連結部６４を形成している。この固定部材６３には、上下方向に貫通する貫通孔６３ａが開口している。吊り部材２３の第１の端部２３ａには、雄ねじが形成されるとともに、固定部材６３の貫通孔６３ａに挿通されるねじ軸６５が設けられている。
【００２７】
このねじ軸６５には、固定部材６３の上下からそれぞれ例えばナットのような第１および第２の螺合部材６６，６７が螺合している。すなわち第１および第２の螺合部材６６，６７が固定部材６３を間に挟んでねじ軸６５に螺合することで、ねじ軸６５は固定部材６３に連結される。一対の吊り部材２３の撓み具合が互いに異なる時には、第１および第２の螺合部材６６，６７を締め付けまたは緩めることで、固定部材６３に対するねじ軸６５の固定位置を調整し、吊り部材２３の撓み具合を容易に調整することができる。
【００２８】
図２および図３に示すように、ハウジング４の上壁４ｅには、駆動装置２４、およびこの駆動装置２４に連結された駆動軸７１が設けられている。詳しくは図３に示すように、リフター本体２１の上方に駆動軸７１が配置され、この駆動軸７１は複数の軸受７２を介してハウジング４に回動自在に支持されている。駆動装置２４の一例は、サーボモータであり、駆動軸７１と同軸状に配置されている。駆動装置２４は、駆動軸７１を正転方向および逆転方向に回動する。駆動軸７１には、例えば第１のスプロケット７３が取り付け固定されている。図２に示すように、駆動装置２４および駆動軸７１は、リフター本体２１の上方において、吊り部材２３が連結されたリフター本体２１の第２の下端部６１よりも古紙収納部側に寄って配置されている。
【００２９】
一方、ハウジング４の上壁のなかで左側壁４ｂに隣接する領域には、従動軸７５が設けられている。従動軸７５は、駆動軸７１と平行に並んで配置されるとともに、複数の軸受７６を介してハウジング４に回動自在に支持されている。従動軸７５には、例えば第２のスプロケット７７が取り付けられている。さらにハウジング４内の左端部領域には、上下方向に延びる円筒部材７８が設けられている。円筒部材７８は、例えば塩化ビニル樹脂で造られるとともに、中空円筒状に形成されている。
【００３０】
図２に示すように、吊り部材２３は、リフター本体２１の第２の下端部６１から上方に延びるとともに、まず駆動軸７１の第１のスプロケット７３に掛けられるとともに、次いで従動軸７５の第２のスプロケット７７に掛けられている。第１の端部２３ａとは反対側の端部である吊り部材２３の第２の端部２３ｂは、円筒部材７８の内部に挿入されている。この円筒部材７８の内部に挿入された第２の端部２３ｂの先端には、例えばバランス錘７９が取り付けられている。
【００３１】
駆動装置２４が正回転されると、駆動軸７１が図２中反時計回りに回転し、吊り部材２３の第１の端部２３ａを上方に引き上げる。一方、駆動装置２４が逆回転されると、駆動軸７１が図２中時計回りに回転し、吊り部材２３の第１の端部２３ａを下方に垂れ下げる。
【００３２】
図２に示すように、古紙回収装置１は、第１および第２の検知部８１，８２を備える。第１の検知部８１は、リフター本体２１が秤１４の計量面１４ａに載置された時、その旨を検知する。第１の検知部８１は、例えばリフター本体２１が秤１４の計量面１４ａに載置された時に作動するリミットスイッチである。第２の検知部８２は、リフター本体２１が所定高さまで持ち上げられた時に、その旨を検知する。第２の検知部８２は、例えば円筒部材７８に設けられるとともに、バランス錘７９の動きによって作動するリミットスイッチである。
【００３３】
さらに古紙回収装置１は、開閉扉７、液晶ディスプレイ９、カード挿入口１０、支払い口１１、秤１４、駆動装置２４、第１および第２の検知部８１，８２などを制御する制御部８４を備える。上記のような古紙回収装置１によれば、リフター本体２１は、秤１４の上に載置された第１の状態と、古紙束３を古紙収納部に向けて投出する第２の状態との間で変位可能である。
【００３４】
次に、古紙回収装置１の作用について説明する。古紙回収装置１は、吊り部材２３が連結部６４と第１のスプロケット７３との間で弛み、リフター本体２１が秤１４の計量面１４ａに載置された第１の状態で待機している。このとき、リフター本体２１の全重量が計量面１４ａにかかっている。
【００３５】
利用者が回収カードをカード挿入口１０に差し込むと、古紙回収装置１は回収カードを読み取るとともに、図示しない電磁機構を用いて開閉扉７を開け、投入口６を外部に露出させる。秤１４は、例えばこの開閉扉７を開ける動作に連動して、計量のゼロ点が合わされる。利用者は、持参した古紙束３を投入口６を通じてリフター本体２１の内部に投入する。古紙束３の投入を終えて利用者が投入口６の開閉扉７を閉じると、秤１４が計量動作を開始する。秤１４は、必要な風袋処理を行って古紙束３の重量を計量し、古紙回収装置１は、古紙束３の重量データを基に買い取り代金を計算し、その買い取り代金を支払い口１１に送出する。
【００３６】
秤１４による計量動作が終了すると、駆動装置２４が正回転され、吊り部材２３の第１の端部２３ａが上方に引き上げられる。吊り部材２３の第１の端部２３ａが上方に引き上げられると、この第１の端部２３ａに連結されたリフター本体２１の第２の下端部６１も吊り部材２３と共に上方に持ち上げられる。リフター本体２１の第２の下端部６１が持ち上げられると、リフター本体２１が図２中時計回りに回転しようとするが、ガイド５１，５２がガイドレール２２の溝２２ａに支持され、ガイド５１，５２とガイドレール２２の溝２２ａとの間のあそび分だけリフター本体２１が回転した状態でリフター本体２１の姿勢が安定する。駆動装置２４が正回転を続けると、ガイド５１，５２がガイドレール２２に沿って鉛直方向に案内されるとともに、リフター本体２１が上方に持ち上げられる。
【００３７】
例えばガイド５１，５２を二対設けずに、例えばどちらか一対のガイドを有するのみでもよい。一対のガイドを有するリフター本体２１は、第２の下端部６１が持ち上げられた時に前壁部３１の右縁部３１ａおよび背壁部３３の右縁部３３ａのそれぞれ上端がハウジング４の右側壁４ｃに当接し、それら右縁上端を右側壁４ｃに摺動させるようにしてリフター本体２１が上方に持ち上げられる。例えば本実施形態のように二対のガイド５１，５２を設けると、リフター本体２１とハウジング４との間の摩擦抵抗を小さくすることができ、安定してスムーズにリフター本体２１を持ち上げることができる。
【００３８】
古紙束３をかご台車２に向けて投出するのに十分な高さ（以下、所定高さ）までリフター本体２１が持ち上げられると、図４に示すように、第１のガイド５１がガイドレール２２の上端部に設けられたストッパ部５９に達し、第１のガイド５１は古紙収納部側に向いて折れ曲がったストッパ部５９の溝２２ａに沿ってわずかに古紙収納部側に移動する。ストッパ部５９に達した第１のガイド５１は、その上向き方向の移動が制止され、それ以上の高さに移動することができなくなる。
【００３９】
第１のガイド５１の上向き方向の移動が制止された状態で駆動装置２４が正回転を続けると、リフター本体２１の第２の下端部６１はさらに持ち上げられ、リフター本体２１は、第１および第２のガイド５１，５２を支点として図４中時計回りに回転し、出荷口３９が斜め下方を向くように傾斜する。これによりリフター本体２１は、古紙束３をかご台車２に向いて投出する第２の状態となる。
【００４０】
図４に示すように、この第２の状態では、リフター本体２１の一部は、開口部５６からハウジング４の右側壁４ｃを越えて古紙収納部側に乗り出している。この時、リフター本体２１の重心Ｇは、第１および第２のガイド５１，５２よりも古紙収納部側とは反対側（すなわち連結部６４側）に位置する。すなわち、リフター本体２１の重心Ｇの水平方向の位置は、第１の下端部４５を鉛直方向に通る延長線Ｌ１と、第２の下端部６１を鉛直方向に通る延長線Ｌ２との間にある。
【００４１】
一方、円筒部材７８の中を上下動するバランス錘７９は、リフター本体２１が持ち上げられるに伴い円筒部材７８の中を降下する。バランス錘７９は、リフター本体２１が第２の状態になる時に連動して第２の検知部８２を作動させ、第２の検知部８２はリフター本体２１が第２の状態にある旨の信号を制御部８４に送る。
【００４２】
制御部８４は、リフター本体２１が第２の状態にある旨の信号を受け取ると、駆動装置２４の駆動を停止し、所定時間（例えば約２秒）に亘ってリフター本体２１の姿勢を保つ。この時、古紙束３は、リフター本体２１の積載面４２ａを滑り落ち、出荷口３９からかご台車２へと投出される。
【００４３】
制御部８４は、上記所定時間経過後に駆動装置２４を逆回転させる。駆動装置２４が逆回転すると、駆動軸７１は、連結部６４と第１のスプロケット７３との間の吊り部材２３が弛むように吊り部材２３を送り出す。これにより、リフター本体２１は、自重によって第１の状態へ復帰する。リフター本体２１が秤１４の上に着地すると、第１の検知部８１はリフター本体２１が第１の状態に復帰した旨の信号を制御部８４へと送る。
【００４４】
制御部８４は、リフター本体２１が秤１４の上に着地した信号を受け取ると、駆動装置２４の逆回転を暫くの間だけ続け、連結部６４と第１のスプロケット７３との間で吊り部材２３を弛ませた後、駆動装置２４の駆動を停止する。
【００４５】
このような構成によれば、簡単な構成で長期に亘り高い信頼性を有する古紙収納手段１５を備えた古紙回収装置１を得ることができる。すなわち、古紙束３が投入されるリフター本体２１は、箱型に形成され比較的高い剛性を有するので、繰り返し使用しても破損しにくく、長期に亘り高い信頼性を有する。さらに古紙束３がめくれたシート部材に引っ掛かることがないので、使用者にとっても利便性が高いといえる。
【００４６】
古紙収納手段１５は、リフター本体２１の一方の下端部４５に設けられるとともに回転の支点となるガイド５１と、ストッパ部５９を有するガイドレール２２と、ガイド５１が設けられた領域とは反対側の下端部６１に連結された吊り部材２３とを備えることで、簡単な構成で、箱型に形成されたリフター本体２１を持ち上げて傾斜させることができる。すなわち、リフター本体２１を傾斜させる特別な駆動装置を備えることなく、リフター本体２１に連結された吊り部材２３を巻き上げるだけで、リフター本体２１を傾斜させることができる。つまりリフター本体２１を昇降させることを主目的とする駆動装置２４によってリフター本体２１を傾斜させることで、古紙回収装置１の機構を簡単なものとすることができる。
【００４７】
吊り部材２３は、リフター本体２１の古紙収納部側とは反対側の上端部や中央部に連結されてもよい。ただし、吊り部材２３が下端部６１ではなくリフター本体２１の上端部や中央部に連結されていると、吊り部材２３が掛かるスプロケット７３を本実施形態よりもさらに古紙収納部側に配置する必要がある。すなわち吊り部材２３が下端部６１に連結された古紙回収装置１は吊り部材２３に作用する水平方向の分力が小さく、小型化に有利であるといえる。本実施形態のように、吊り部材２３の一端部がリフター本体２１を懸吊する古紙回収装置１によれば、古紙束３の計量時に、吊り部材２３を弛めておく（すなわち吊り部材２３を僅かに撓ませておく）ことができる。これにより、秤１４には古紙束３を積載したリフター本体２１の全重量が確実にかかり、高い計量精度を得ることができる。
【００４８】
さらに、リフター本体２１が第２の状態にあるとき、リフター本体２１の重心Ｇがガイド５２を基点として連結部６４側に位置していると、吊り部材２３を弛めるだけでリフター本体２１が自重によって第１の状態に復帰する。すなわち第２の状態で傾斜したリフター本体２１を元の姿勢に復帰させる特別な駆動装置を必要とすることなく、古紙回収装置１の機構を簡単なものとすることができる。
【００４９】
錘５４は必ずしも設ける必要はないが、錘５４を有すると、リフター本体２１の重心Ｇの位置がより連結部６４側に位置し、リフター本体２１の第２の状態から第１の状態への復帰がスムーズになる。また別の見方をすれば、錘５４を有すると、リフター本体２１がハウジング４の右側壁４ｃを大きく乗り越える姿勢にまで傾斜させても、リフター本体２１の重心Ｇがガイド５１，５２よりも連結部６４側に位置させることができる。リフター本体２１の姿勢を大きく傾斜させることができると、古紙束３の投出がよりスムーズになる。
【００５０】
図４に示すように、リフター本体２１に上げ底部材４２が設けられていると、上げ底部材４２の投出側端部４２ｂを開口部５６の下縁５６ａよりも上方に設定しやすい。上げ底部材４２の積載面４２ａが出荷口３９に向かって進むに従い高さが低くなる傾斜を有すると、古紙束３の投出がよりスムーズになる。
【００５１】
リフター本体２１の上壁部３４に切欠き部４１が設けられていると、第２の状態から第１の状態へ復帰するときに、リフター本体２１の上壁部３４が開口部５６の下縁５６ａに引っ掛かるおそれがなくなり、リフター本体２１が第１の状態へよりスムーズに復帰することができる。
【００５２】
以上、本発明の一つの実施形態に係る古紙回収装置１について説明したが、本発明の実施形態はこれに限られるものではなく、発明の主旨を逸脱しない範囲で種々変形して実施可能である。
【図面の簡単な説明】
【００５３】
【図１】本発明の一つの実施形態に係る古紙回収装置の正面図。
【図２】図１中に示された古紙回収装置の断面図。
【図３】図２中のＦ３−Ｆ３線に沿う古紙回収装置の断面図。
【図４】図１中に示された古紙回収装置の断面図。
【図５】図２中に示されたガイドレールを抜き出して示す斜視図。
【図６】図２中に示されたリフター本体の斜視図。
【図７】図２中に示されたリフター本体と吊り部材との連結部回りの断面図。
【図８】図２中に示されたＦ８−Ｆ８線に沿う古紙回収装置の断面図。
【符号の説明】
【００５４】
Ｇ…重心、１…古紙回収装置、２…かご台車（古紙収納部）、４…ハウジング、６…投入口、１４…秤、１５…古紙収納手段、２１…リフター本体、２２…ガイドレール、２３…吊り部材、２４…駆動装置、３７…入荷口、３９…出荷口、５１，５２…ガイド、５９…ストッパ部。
【図１】
2008260625.tif 000003
【図２】
2008260625.tif 000004
【図３】
2008260625.tif 000005
【図４】
2008260625.tif 000006
【図５】
2008260625.tif 000007
【図６】
2008260625.tif 000008
【図７】
2008260625.tif 000009
【図８】
2008260625.tif 000010